(57)【特許請求の範囲】
【請求項１】
編集によって生ずる一連の文書について、変更履歴を含む管理をする文書管理装置が行う文書管理方法であって、
編集前の文書と編集後の文書の差分を検出し、
文書変更の意図を判断するための条件と判定結果とを対応させて変更意図判断ルール保存手段に保存されたルールに前記検出された差分を適用し、該ルールの条件に当てはまるか否かによって文書変更の変更意図を判断し、
前記判断した変更意図と編集を行ったユーザーの識別子を変更履歴として保存することを特徴とする文書管理方法。
【請求項２】
編集によって生ずる一連の文書について、変更履歴を含む管理をする文書管理装置であって、
編集前の文書と編集後の文書の差分を検出する差分検出手段と、
文書変更の意図を判断するための条件と判定結果とを対応させたルールを複数保存する変更意図判断ルール保存手段と、
変更意図判断ルール保存手段に保存されたルールに前記検出された差分を適用し該ルールの条件に当てはまるか否かによって文書変更の変更意図を判断する判断手段と、
前記判断手段が判断した変更意図と編集を行ったユーザーの識別子とを変更履歴として保存する変更履歴保存手段と、
を備えたことを特徴とする文書管理装置。
【請求項３】
編集によって生ずる一連の文書について、変更履歴を含む管理をする文書編集管理装置が行う文書編集管理方法であって、
ユーザーの編集要求に基づく編集を行うとともにこの編集過程の内容を編集内容保存手段に保存し、
文書変更の意図を判断するための条件と判定結果とを対応させて変更意図判断ルール保存手段に保存されたルールに前記編集内容保存手段に保存された編集過程の内容を適用し、該ルールの条件に当てはまるか否かによって文書変更の変更意図を判断し、
前記判断した変更意図と編集を行ったユーザーの識別子を変更履歴として保存することを特徴とする文書編集管理方法。
【請求項４】
編集によって生ずる一連の文書について、変更履歴を含む管理をする文書編集管理装置であって、
ユーザーの編集要求に基づき行われた編集過程の内容を保存する編集内容保存手段と、
文書変更の意図を判断するための条件と判定結果とを対応させたルールを保存する変更意図判断ルール保存手段と、
変更意図判断ルール保存手段に保存された前記ルールに前記編集内容保存手段に保存された編集過程の内容を適用し、該ルールの条件に当てはまるか否かによって文書変更の変更意図を判断する判断手段と、
前記判断手段が判断した変更意図と編集を行ったユーザーの識別子とを変更履歴として保存する変更履歴保存手段と、
を備えたことを特徴とする文書編集管理装置。
【発明の詳細な説明】
【０００１】
【産業上の利用分野】
本発明は、ユーザーが文書を編集し、個人あるいはグループで、その文書を継続的に管理し、その管理される文書の変更履歴を表示するための文書編集管理方法および装置に関する。
【０００２】
【従来の技術】
従来の技術としては、Ｘｅｒｏｘ社のワークステーションＳｔａｒにおけるフォルダー［文献１］などの個人文書ファイリング技術、Ｓｔａｒにおけるドロワー［文献１］、Ｓｈａｒｅｄ Ｂｏｏｋ［文献２］などの共有ファイリング技術、ＵＮＩＸ（登録商標）開発環境におけるＳＣＣＳ、ＲＣＳなどのバージョン管理技術［文献３］などがある。また、ＮｏｔｅＣａｒｄｓなどの一般的ハイパーテキスト技術［文献４］、ＴｅｘｔＬｉｎｋ［文献５］、ＦＩＳＨ［文献６］などの自動的にリンクを付与するハイパーテキスト技術も関係する。
【０００３】
［文献１］： 上谷晃弘（編），「ワークステーションシリーズ ＪＳｔａｒワークステーション」，丸善，１９８６．
［文献２］： 特開平２−２４５０号（ゼロックスコーポレーション）「ネットワーク化ワークステーション環境における共有構造化データオブジェクトに関する協同マルチユーザー活動の実現」
［文献３］： 村上純，井上尚司，砂原秀樹，「プロフェッショナルＵＮＩＸ（登録商標）」，株式会社アスキー，１９８６，ｐｐ．１８３−１８８．
［文献４］： Ｃｏｎｋｌｉｎ，Ｊｅｆｆ．”Ｈｙｐｅｒｔｅｘｔ：Ａｎ Ｉｎｔｒｏｄｕｃｔｉｏｎ ａｎｄ Ｓｕｒｖｅｙ，” ＩＥＥＥ Ｃｏｍｐｕｔｅｒ，Ｖｏｌ．２０，１９８７．９，ｐｐ．１７−４１．
［文献５］： 平山伸一，西川記史，難波克己，田中克己，”リンク定義言語を有するハイパーテキストシステム：ＴｅｘｔＬｉｎｋ−ＩＩＩ，”情報処理学会データベースシステム研究会資料７８−７，１９９０．７．１９，ｐｐ．６３−７０．
［文献６］： 山上俊彦，関良明，”協調行動過程に着目したノウハウ支援の拡張の検討，”情報処理学会マルチメディア通信と分散処理研究会資料５３−４，１９９２．１．２３，ｐｐ．２３−３０．
【０００４】
まず、前記ワークステーションＳｔａｒにおけるフォルダー、ドロワーは、どちらも電子文書を保存しておくための技術である。両者の差は、フォルダーがユーザーのワークステーションに文書を保存しておくものであるのに対し、ドロワーはネットワーク上にあるファイルサーバーに文書を保存しておくためのものであることである。これらの技術においては、同じ名前の文書を順に保存することによって、自動的にバージョン番号が付与され、ある文書の編集の経過を順に保存しておくことができる。
【０００５】
前記ワークステーションＳｔａｒにおけるＳｈａｒｅｄ Ｂｏｏｋにおいては、上で述べたドロワーの機能に加えて、複数のユーザーが同時に同じ文書を編集しないためのロック機構や、ユーザーが各バージョンに変更理由を書くことができる機能などがある。
【０００６】
次に、ＵＮＩＸ（登録商標）開発環境におけるＳＣＣＳ、ＲＣＳなどのバージョン管理技術は、各種言語のソースコードを管理するためのものである。プログラミング開発に伴う数多くのバージョンを管理するため、階層的にバージョンを保存することができる。また、各バージョンに対して、コメントを残すことも可能である。さらにこの技術では、前のバージョンと比較して何行追加され、何行削除されたかも同時に表示される。
【０００７】
ＮｏｔｅＣａｒｄｓなどの一般的ハイパーテキスト技術では、情報をノードとして記述し、情報の間をリンクで結合することができる。さらに、ＮｏｔｅＣａｒｄｓを初めとするいくつかのシステムでは、様々な種類のリンクを用意してユーザーが選択することができたり、リンクの種類を新たに定義することができる。
【０００８】
ＴｅｘｔＬｉｎｋは、リンク記述言語を有し、ある特定の条件に合うノードに対して、自動的にリンクを形成することができる。一方、ＦＩＳＨは、グループ内でノウハウを共有するためのシステムである。ＦＩＳＨでは、ユーザーが入力したキーワードに基づいて、一定時間おきに各ノウハウの間のリンクを自動的に形成する。
【０００９】
【発明が解決しようとする課題】
ドロワーやＳｈａｒｅｄ Ｂｏｏｋといった従来のファイル管理技術では、自動的に提供されるのは、バージョン番号のみであり、編集前の文書と編集後の文書との間の関係を記述するのは、ユーザーが行う必要があった。ＳＣＣＳやＲＣＳにおいては、追加行数及び削除行数は提示されるが、そこから編集による変更の意図を判断し記述する作業は、やはりユーザーが全て行う必要がある。ノード間に自動的にリンクを付与するＴｅｘｔＬｉｎｋやＦＩＳＨは、データベースの検索式や、キーワードを元にしてリンクを付与するものであり、編集による変更の意図を判断し、リンクを付与することはできない。
そこで、本発明では、文書に対してある変更が行われた場合に、その変更意図を、ユーザーが容易に理解できるような形態で、自動的に提供することを課題とする。
【００１０】
【課題を解決するための手段】
本発明の文書編集管理方法は、編集によって生ずる一連の文書について、変更履歴を含む管理をする文書編集管理装置が行う文書管理方法であって、編集前の文書と編集後の文書の差分を検出し、文書変更の意図を判断するための条件と判定結果とを対応させて変更意図判断ルール保存手段に保存されたルールに前記検出された差分を適用し、該ルールの条件に当てはまるか否かによって文書変更の変更意図を判断し、前記判断した変更意図と編集を行ったユーザーの識別子を変更履歴として保存することを特徴とする。
また、前記方法の実施に用いる文書管理装置は、編集前の文書と編集後の文書の差分を検出する差分検出手段と、文書変更の意図を判断するための条件と判定結果とを対応させたルールを複数保存する変更意図判断ルール保存手段と、変更意図判断ルール保存手段に保存されたルールに前記検出された差分を適用し該ルールの条件に当てはまるか否かによって文書変更の変更意図を判断する判断手段と、前記判断手段が判断した変更意図と編集を行ったユーザーの識別子とを変更履歴として保存する変更履歴保存手段とを備えたことを特徴とする。
本発明の文書編集管理方法は、編集によって生ずる一連の文書について、変更履歴を含む管理をする文書編集管理装置が行う文書編集管理方法であって、ユーザーの編集要求に基づく編集を行うとともにこの編集過程の内容を編集内容保存手段に保存し、文書変更の意図を判断するための条件と判定結果とを対応させて変更意図判断ルール保存手段に保存されたルールに前記編集内容保存手段に保存された編集過程の内容を適用し、該ルールの条件に当てはまるか否かによって文書変更の変更意図を判断し、前記判断した変更意図と編集を行ったユーザーの識別子を変更履歴として保存することを特徴とする。
また、前記方法の実施に用いる文書編集管理装置は、ユーザーの編集要求に基づき行われた編集過程の内容を保存する編集内容保存手段と、文書変更の意図を判断するための条件と判定結果とを対応させたルールを保存する変更意図判断ルール保存手段と、変更意図判断ルール保存手段に保存された前記ルールに前記編集内容保存手段に保存された編集過程の内容を適用し、該ルールの条件に当てはまるか否かによって文書変更の変更意図を判断する判断手段と、前記判断手段が判断した変更意図と編集を行ったユーザーの識別子とを変更履歴として保存する変更履歴保存手段とを備えたことを特徴とする。
【００１１】
【作用】
文書の編集の際にユーザが文書に対し変更を行ったとき、その変更意図を判断手段により判断する。判断した変更意図と編集を行ったユーザーの識別子を変更履歴として変更履歴保存手段に保存する。
本発明によれば、文書に対してある変更が行われた場合に、その変更意図を編集前の文書と編集後の文書との間の関係情報として、ユーザーが容易に理解できるような形態で、自動的に提供することができる。  このことにより一連の編集がどのような意図で行われたのかを、ユーザーが容易に把握できる。
【００１２】
【発明の実施形態】
以下、図面を参照しながら実施例に基づいて本発明の特徴を具体的に説明する。図１は、本発明の文書編集管理装置を実現するための全体構成を示すブロック図である。
【００１３】
本装置は、文書を管理するための文書管理部１、文書の変更を行う文書編集部２、文書の変更履歴を表示するための文書変更履歴表示部３、これらを結合するためのネットワーク４から構成されている。
【００１４】
さらに、文書管理部１は、文書を保存しておくための文書情報保存手段１ｅ、文書の変更履歴を保存しておくための文書変更履歴保存手段１ｈ、文書情報と文書変更履歴情報を管理するための文書管理手段１ｇ、編集前の文書と編集後の文書との差分を検出する差分検出手段１ｃ、差分あるいは編集内容から文書変更の意図を判断するための変更意図判断手段１ａ、変更意図を判断するためのルールを保存する変更意図判断ルール保存手段１ｂ、変更意図判断ルールを編集するための、変更意図判断ルール編集手段１ｄ、ネットワークと通信するための文書管理部通信手段１ｆとからなる。
【００１５】
また、文書編集部２は、ユーザーが編集要求を入力する編集要求入力手段２ｂ、ユーザーの編集要求にしたがって文書の変更を行う文書編集処理手段２ｆ、ユーザーの行った編集内容を保存する編集内容保存手段２ｅ、編集途中の文書の状態を表示する文書表示手段２ａ、ユーザー名を入力するためのユーザー名入力手段２ｃ、装置が提示した変更意図をユーザーが選択するための変更意図選択手段２ｄ、ネットワークと通信するための文書編集部通信手段２ｇからなる。
【００１６】
変更履歴表示部３は、変更履歴を表示する処理を行う変更履歴表示処理手段３ａ、変更履歴を実際に表示する変更履歴表示手段３ｄ、変更履歴を表示する特定の文書群を指定するための文書指定手段３ｅ、変更履歴のうち条件に合致したもののみを表示するために変更履歴の一部を選別する変更履歴選別手段３ｂ、選別する際のルールを保存する変更履歴選別ルール保存手段３ｆ、選別ルールを編集するための選別ルール編集手段３ｇ、ネットワークと通信するための変更履歴表示部通信手段３ｃからなる。
【００１７】
まず、以上のように構成された本実施例の装置の動作の概要を説明する。編集開始時、ユーザー名入力手段２ｃより入力されたユーザー名は、文書編集処理手段２ｆへ送られ、そこで保持される。ユーザーによる編集開始要求は、編集要求入力手段２ｂから文書編集処理手段２ｆを通じ、文書編集部通信手段２ｇ、ネットワーク４、文書管理部通信手段１ｆを経て、文書管理手段１ｇへ伝えられる。文書管理手段１ｇによって文書情報保存手段１ｅ内から検索された文書情報は、文書管理部通信手段１ｆ、ネットワーク４、文書編集部通信手段２ｇを経て、文書編集処理手段２ｆへ送られる。文書編集処理手段２ｆは、文書表示手段２ａへ、その文書を表示する。ユーザーの編集要求は、編集要求入力手段２ｂから文書編集処理手段２ｆへ伝えられ、文書の編集が行われる。また、この編集過程の内容が編集内容保存手段２ｅへ保存される。これによって、ユーザーは文書管理部１において管理されている文書の編集とその編集内容の記録が可能となる。
【００１８】
編集が終わった文書情報、ユーザー名、編集内容は、文書編集処理手段２ｆによって、文書編集部通信手段２ｇ、ネットワーク４、文書管理部通信手段１ｆを経て、文書管理手段１ｇへ伝えられる。文書管理手段１ｇは、編集された文書に新しい文書ＩＤを付与し、文書情報保存手段１ｅへ保存する。さらに文書管理手段１ｇは、本発明の一態様では、編集前の文書情報と編集後の文書情報とを差分検出手段１ｃへ送る。差分検出手段１ｃは、編集前の文書情報と編集後の文書情報との差分から編集内容情報を作成する。変更意図判断手段１ａは、差分検出手段１ｃによって検出された差分情報、または、文書編集部２から送られてきた編集内容情報を、変更意図判断ルール保存手段１ｂに保存されている変更意図判断ルールに基づいて判断し、変更意図を推定する。文書管理手段１ｇへと送られる。この変更意図判断ルールは、あらかじめ変更意図判断ルール編集手段１ｄによって編集されている。推定された変更意図は、文書管理手段１ｇ、文書管理部通信手段１ｆ、ネットワーク４、文書編集部通信手段２ｇ、文書編集処理手段２ｆを通じて、変更意図選択手段２ｄへ送られ、ユーザーによって最終的に確定される。その確定結果は、文書編集処理手段２ｆ、文書編集部通信手段２ｇ、ネットワーク４、文書管理部通信手段１ｆを通じて、文書管理手段１ｇへ送られる。確定した変更意図を受け取った文書管理手段１ｇは、新しい文書の文書ＩＤ、編集したユーザー名、編集意図を文書変更履歴保存手段１ｈへ保存する。以上の処理によって、編集の際の変更意図を装置が推定し、変更履歴情報として保存することが可能となる。
【００１９】
ユーザーは文書指定手段３ｅを通じて、変更履歴を表示したい文書を指定する。指定を受けた変更履歴表示処理手段３ａは、変更履歴表示部通信手段３ｃ、ネットワーク４、文書管理部通信手段１ｆを通じて、文書管理手段１ｇへ文書の指定を伝達する。文書管理手段１ｇは、文書変更履歴保存手段１ｈを検索し、文書変更履歴情報を取り出す。次に文書情報保存手段１ｅを検索し、関係する文書の情報を取り出す。そして、両方の情報を、文書管理部通信手段１ｆ、ネットワーク４、変更履歴表示処理手段３ａを通じて変更履歴選別手段３ｂへ送る。変更履歴選別手段３ｂは、変更履歴情報のうちで、変更履歴選別ルール保存手段に保存されているルールに基づいて、ルールに適合しない変更意図を持った履歴情報、文書情報を削除する。このルールは、あらかじめ選別ルール編集手段３ｇによって編集されている。ルールに適合した履歴情報、文書情報は、変更履歴表示処理手段３ａへ送られ、編集履歴表示手段３ｄへ表示される。以上の処理により、ユーザーは一連の編集履歴を、その変更意図と共に一覧することができる。
【００２０】
以下、フローチャートを用いて各部の動作についてさらに詳細に説明する。ここでは、既に文書情報保存手段１ｅに、図２の形態で文書情報が保存され、この文書情報を編集し、保存することを仮定する。文書情報は、文書を識別する文書ＩＤ、文書名、文書本体のアドレス、その文書本体の内容から構成されている。さらに、各文書は章・節などに応じた階層構造を持っているものとする。まず、編集前の文書と編集後の文書との差分を利用して変更意図を判断する場合の処理について説明する。
【００２１】
図３は、文書情報を編集する際の処理を示すフローチャートである。まず、ユーザーは、ユーザー名入力手段２ｃから自分のユーザー名を入力する（ステップＳ３ａ）。次に、文書編集処理手段２ｆは、編集要求入力手段２ｂを通じたユーザーからの指示に従って、保存してある文書を取り出すよう要求を出す。要求は、文書編集部通信手段２ｇ、ネットワーク４、文書管理部通信手段１ｆを通じて文書管理手段１ｇへ送られる（ステップＳ３ｂ）。要求を受けた文書管理手段１ｇは、文書情報保存手段１ｅを検索し、要求された文書情報を取り出し返送する。文書情報は、文書管理部通信手段１ｆ、ネットワーク４、文書編集部通信手段２ｇを通じて文書編集処理手段２ｆへ送られる。そして、文書編集処理手段２ｆは、文書情報を文書表示手段へ表示する（ステップＳ３ｃ）。ユーザーは、編集要求入力手段２ｂを通じて文書に様々な変更を加える（ステップＳ３ｄ）。編集結果は文書編集処理手段によって文書表示手段２ａへ表示される（ステップＳ３ｅ）。編集が終了するまで、この処理を繰り返す（ステップＳ３ｆ）。
【００２２】
図４は、編集の終了した文書を保存し、その変更意図を判断するための処理を示すフローチャートである。編集が終了した文書情報とその編集を行ったユーザー名は、文書管理手段２ｆによって、文書編集部通信手段２ｇ、ネットワーク４、文書管理部通信手段１ｆを通じて文書管理手段１ｇへ送られる（ステップＳ４ａ）。文書情報を受け取った文書管理手段１ｇは、文書にあらたなＩＤを付与し、文書情報保存手段１ｅへ保存する（ステップＳ４ｂ）。同時に、編集前の文書情報と、編集されて返送されて来た文書情報の両者を差分検出手段へ送る。差分検出手段は、両者を比較し、編集された箇所とその内容を検出、変更意図判断手段１ａへ送る（ステップＳ４ｃ）。図５に差分を検出した結果を示す。この例では、文字に対する操作や、文書の階層構造を考慮した差分データ（相違箇所２：２．３節の削除など）も示されている。
【００２３】
変更意図判断手段１ａは、差分情報を利用して、あらかじめ変更意図判断ルール編集手段１ｄによって編集され、変更意図判断ルール保存手段１ｂに図６の形態で保存されている変更意図判断ルールに基づいて、ユーザーの変更意図を判断する（ステップＳ４ｄ）。判断の一例としては、次のような方法が考えられる。差分情報を図６に示されるルールの上から順に適用していく。条件にあてはまれば、判定結果と優先順位を新たな表に順に記入していく。最終ルールまで順に判定を行い、判定結果の表を完成させる。完成した表を優先順位に応じてソートし、本装置による判定結果とする（図７参照）。完成した表は、文書管理手段１ｇ、文書管理部通信手段１ｆ、ネットワーク４、文書編集部通信手段２ｇを通じて文書編集処理手段２ｆへ送られ、文書表示手段２ａに、図８に示される表示方法で提示される。ユーザーは、この表の中から自らの編集意図に最も近いものを変更意図選択手段２ｄを通じて選択する（ステップＳ４ｅ）。選択された結果は、文書編集部通信手段２ｇ、ネットワーク４、文書管理部通信手段１ｆを通じて文書管理手段１ｇへ送られ、新たな文書ＩＤ、文書名、変更したユーザー名などと共に、文書変更履歴保存手段１ｈに図９の形態で保存される（ステップＳ４ｆ）。
【００２４】
図１０は、編集した文書の変更履歴を、その変更意図と共に表示するための処理を示すフローチャートである。ユーザーは、文書指定手段３ｅを通じてある文書に関する一連の変更履歴を表示することを要求する。要求を受けた変更履歴表示処理手段３ａは、変更履歴表示部通信手段３ｃ、ネットワーク４、文書管理部通信手段１ｆを通じて要求を伝達する（ステップＳ１０ａ）。文書管理手段１ｇは、前述の処理によって変更履歴保存手段１ｈに保存されている履歴情報を検索し、要求された文書の変更履歴を取り出す（ステップＳ１０ｂ）。また、文書情報保存手段１ｅに保存されている文書情報の中から、先に検索した変更履歴情報に含まれている文書の文書情報を取り出す（ステップＳ１０ｃ）。そしてその両者を文書管理部通信手段１ｆ、ネットワーク４、変更履歴表示部通信手段３ｃを通じて変更履歴表示部３へ送る（ステップＳ１０ｄ）。変更履歴選別手段３ｂは、選別ルール編集手段３ｇによって編集され、変更履歴選別ルール保存手段３ｆに図１１の形態で保存されている選別ルールに基づいて、表示するべき変更履歴を選別する（ステップＳ１０ｅ）。そして、選別された変更履歴情報および文書情報を受け取った変更履歴表示処理手段３ａは、これらの情報を、例えば図１２の形態で変更履歴表示手段３ｄに表示する。また図１３のように、各文書のアイコンを、変更意図を表現する線分で結んだ形態で表示することも可能である。
【００２５】
次に、ユーザーが実際に行った編集要求の内容を利用して変更意図を判断する際の処理について説明する。基本的な流れは、前述の場合とほぼ同様である。図１４は、文書情報を編集する際の処理を示すフローチャートである。前述の処理との違いは、ユーザーの編集要求の内容が、文書編集処理手段２ｆによて編集内容保存手段２ｅへ図１５に示されるような形態で保存される点である（ステップＳ１４ｅ）。この例においても、文書の階層構造を考慮した編集内容（操作番号３：２．３節の削除など）が示されている。
【００２６】
図１６は、編集の終了した文書を保存し、その変更意図を判断するための処理を示すフローチャートである。前述の図４に示す処理との違いは、以下の２点である。まず、編集内容保存手段２ｅに保存されている編集内容情報が、文書情報と共に文書編集処理手段２ｆによって、文書編集部通信手段２ｇ、ネットワーク４、文書管理部通信手段１ｆを通じて文書管理手段１ｇに送られる点である（ステップＳ１６ｂ）。そして、この編集内容は、前述の処理における差分情報の代わりに、変更意図判断手段１ａへ転送され、変更意図を判断するための情報として利用される（ステップＳ１６ｄ）。これ以降の処理、および変更履歴表示のための処理は、前述の処理と全く同様である。
【００２７】
【発明の効果】
本発明によれば、文書に対してある変更が行われた場合に、その変更意図を編集前の文書と編集後の文書との間の関係情報として、ユーザーが容易に理解できるような形態で、自動的に提供することができる。このことにより一連の編集がどのような意図で行われたのかを、ユーザーが容易に把握できるという効果を奏する。
【図面の簡単な説明】
【図１】 本発明の実施例の文書編集管理装置を実現するための構成を示すブロック図
【図２】 本発明において使用される文書情報の例
【図３】 差分による判断を行う場合において、文書の編集処理を表現するフローチャート
【図４】 差分による判断を行う場合において、文書の保存処理を表現するフローチャート
【図５】 編集前と編集後の文書データから抽出された差分データの例
【図６】 差分データまたは編集内容から変更意図を判断する際に利用するルールの例
【図７】 変更意図を判断するルールを適用した結果の例
【図８】 ユーザーによって最終的な変更意図が確定される際の画面例
【図９】 変更履歴として保存される情報の例
【図１０】 変更履歴を表示する処理を表現するフローチャート
【図１１】 表示する変更履歴を選別する際に使用するルールの例
【図１２】 変更履歴を表の形態で表示した画面例
【図１３】 変更履歴をノードとリンクの形態で表示した画面例
【図１４】 編集内容による判断を行う場合において、文書の編集処理を表現するフローチャート
【図１５】 編集時に保存されるユーザーの行った編集内容の例
【図１６】 編集内容による判断を行う場合において、文書の保存処理を表現するフローチャート
【符号の説明】
１ …文書管理部、 １ａ…変更意図判断手段、 １ｂ…変更意図判断ルール保存手段、 １ｃ…差分検出手段、 １ｄ…変更意図判断ルール編集手段、 １ｅ…文書情報保存手段、 １ｆ…文書管理部通信手段、 １ｇ…文書管理手段、１ｈ…文書変更履歴保存手段、２ …文書編集部、 ２ａ…文書表示手段、 ２ｂ…編集要求入力手段、 ２ｃ…ユーザー名入力手段、 ２ｄ…変更意図選択手段、 ２ｅ…変更内容保存手段、 ２ｆ…文書編集処理手段、 ２ｇ…文書編集部通信手段
３ …変更履歴表示部、 ３ａ…変更履歴表示処理手段、 ３ｂ…変更履歴選別手段、 ３ｃ…変更履歴表示部通信手段、 ３ｄ…変更履歴表示手段、 ３ｅ…文書指定手段、 ３ｆ…変更履歴選別ルール保存手段、 ３ｇ…選別ルール編集手段、４ …ネットワーク。
【図１】
0003716824.tif 000002
【図２】
0003716824.tif 000003
【図３】
0003716824.tif 000004
【図４】
0003716824.tif 000005
【図５】
0003716824.tif 000006
【図６】
0003716824.tif 000007
【図７】
0003716824.tif 000008
【図８】
0003716824.tif 000009
【図９】
0003716824.tif 000010
【図１０】
0003716824.tif 000011
【図１１】
0003716824.tif 000012
【図１２】
0003716824.tif 000013
【図１３】
0003716824.tif 000014
【図１４】
0003716824.tif 000015
【図１５】
0003716824.tif 000016
【図１６】
0003716824.tif 000017